(57)【要約】【課題】従来技術において、警察機動隊等が用いてる防護楯板本体は、伸縮機能を有しない構成であるがために防護楯板本体寸法の縮小が不可能でありその構成のため、保管時においては多大の保管空間コストが必要であり、また携帯移動時及び、移動車両内への持ち込み時等に不便さがあった、しかるに本発明よると防護用楯本体に伸縮機能をゆうすることにより、楯板本体寸法が縮小可能であるが為、保管空間コストの削減とともに、防護楯板本体の伸縮機能部分自体が携帯用握り手となる事により、携帯移動時、移動車両内への持ち込み等の簡便さを提供する事ことにより、前述の課題を解決する。【解決手段】防護用楯に伸縮機能を有する１、１ａ、２防護用楯板本体に伸縮機能を設ける。伸縮機能は例えば、（図２）で示す、３伸縮部本体である。【選択図】 図１
2005344990.tif 000002
【特許請求の範囲】
【請求項１】
防護用楯本体を伸縮機能をかいして簡便に伸縮出来る為、保管空間コストを削減するとともに、携帯移動時及び、移動車両内の持ち込み等を簡便になすこと特徴とする防護用楯。
【請求項２】
伸縮に際し、上下部の楯板が、スライドし防護板本体の高さを１／２程度に縮小する機能をゆうすることを特徴とする請求項１記載の防護用楯。
【請求項３】
縮小後、伸縮機能部分自体が運搬用握り手となす機能をゆうすることを特徴とする請求項１記載の防護用楯。
【発明の詳細な説明】
【技術分野】
【０００１】
本発明は、警察機動隊等が防護用に用いる、防護用楯本体を簡便に伸縮する事が可能な防護用楯に関する。
【背景技術】
【０００２】
従来技術の防護用楯本体の形状は、伸縮機能を持たないものである。
【０００３】
この改善策として、防護楯本体に伸縮機能をもつ構成にする。
【発明の開示】
【発明が解決しようとする課題】
【０００４】
しかしながら、従来技術による防護用楯本体では、多大の保管空間のコストおよび、携帯移動時、移動車両内への持ち込み等に不便である。そこで、本発明は、防護用楯本体に伸縮機能をゆうすることにより、保管空間コストの削減とともに、携帯移動時および、移動車両内への持ち込み等の簡便さを提供することを課題とする。
【課題を解決するための手段】
【０００５】
以上の課題を解決するために、第一発明は、三分割された楯板を、中部楯板を中心とし、
上・下部の楯板を、上下方向に伸縮する機能を設けたことを特徴とする防護用楯である。
また、第二発明は、伸縮機能部分自体が携帯用握り手となることを特徴とする防護用楯である。
【発明の効果】
【０００６】
第一発明、または第二発明によれば、防護用楯本体に伸縮機能をゆうすることにより、保管コストの削減とともに、伸縮機能自体が携帯用握り手となることを特徴とする事により、携帯移動時および、移動車両内への持ち込み時等の簡便さを提供する。
【発明を実施するための最良の形態】
【０００７】
この発明の実施形態を詳しく説明する。本発明の請求項１に 記載の発明は、保護用楯板を上・中・下段に分割し、スライドシャフトにより伸縮する機能をもつ構成のものである。
【０００８】
本発明の請求項２記載の発明は、伸縮に際し、上部、下部の楯板が、上下にスライドし防護用楯板本体の高さを１／２程度に縮小する機能をゆうすることを特徴とする構成のものである。
【０００９】
引続き、本発明の実施例を図面に基づき詳しく説明する。
【実施例】
【００１０】
まず図１は本発明の一実施例にかかる伸縮式防護楯本体を示す概念図、図２は防護用楯本体図、及びスライドシャフト組立図、図３はスライドシャフト部品図、図４はロックケース部品図、図５はインナーロック部品図、図６は支持アーム部品図を示すものである。      
【００１１】
図２によると、２、２′の防護楯板は、１防護楯板のほぼ１／２の高さを持つものであり、材質は強化樹脂板及び軽合金等である、３はスライドシャフト本体であり、機能構成は４中段スライドシャフト、５、５′上、下段スライドシャフトを、９中段スライドシャフト支持アーム、１０上、下段スライドシャフト支持アームり図２で示すように三分割された防護楯板本体に、組み立てられた伸縮部本体とを固定される構成である。材質は３はスライドシャフト本体、９中段スライドシャフト支持アーム、１０上、下段スライドシャフト支持アームは強化プラスチックおよび、軽合金等ある。
【００１２】
図１は防護用楯伸縮概念図であり、図の示すごとく縮小され、防護楯本体の高さを１／２程度とする機能の概念図である。
【００１３】
図３はスライドシャフト部品図であり、４中段スライドシャフト、ロックケースにて構成されることを示すものである。
【００１４】
図４はロックケース部品図であり、図５はインナーロック部品図であり、８ロックスプリングを、７インナーロック底部の凹部にセットし、６ロックケースの凹部に組み込み、５、５′上、下段スライドシャフトの、Ａ円形切りかけ部分内部に組み込む構成である。
【００１５】
６支持アーム部品図である。９中段スライドシャフト支持アーム、１０上、下段スライドシャフト支持アームとで構成される。
【００１６】
４中段スライドシャフト、５、５′上、下段スライドシャフトを９中段スライドシャフト支持アーム、１０上、下段スライドシャフト支持アームにより、１中段防護用楯板、２、２′上、下段防護用楯板防護楯板にボルト等により固定する構成である。ことで簡便に縮小可能な構造を有する機能のものである。
【００１７】
上記構成により、防護楯板本体を縮小するには、４中段スライドシャフトの、Ｃ円形切りかけ部分に位置する、７インナーロック凸部を指先で押さえながら、２、２′上、下段防護用楯板をれぞれ上下に縮小させると５、５′上、下段スライドシャフトが４中段スライドシャフト内をスライドし、所定の位置で５、５′上、下段スライドシャフト内の、７インナーロック凸部が、８ロックスプリングの反力により、４中段スライドシャフト、Ｂ、Ｂ′円形切りかけ部分内に押し上げられ５、５′上、下段スライドシャフトが固定される機能構成のものである。
【００１８】
楯板本体が縮小されるとロックブロック内に設置された、８ロックスプリングの反力により強固に、ロックされるため、縮小された防護用楯を安全に保管、携帯移動、移動車両内への持ち込み等が簡便に出来る機能をゆうするものである。
【００１９】
「他の実施形態」
図２の実施形態では、伸縮機能は楕円パイプシャフト機能であるが、他の実施形態では、伸縮機能は楕円パイプシャフト以外の形状機能のものでもよい。
【図面の簡単な説明】
【００２０】
【図１】本発明の一実施形態を示す概念図である。
【図２】伸縮を示す楯板本体図及びスライドシャフト組立図である。
【図３】スライドシャフト部品図である。
【図４】ロックケース部品図である。
【図５】インナーロック部品図である。
【図６】支持アーム部品図である。
【符号の説明】
【００２１】
１中段防護用楯板
２、２′上、下段防護用楯板
３伸縮部本体
４中段スライドシャフト
５、５′上、下段スライドシャフト
６ロックケース
７インナーロック
８ロックスプリング
９中段スライドシャフト支持アーム
１０上、下段スライドシャフト支持アーム
【図１】
2005344990.tif 000003
【図２】
2005344990.tif 000004
【図３】
2005344990.tif 000005
【図４】
2005344990.tif 000006
【図５】
2005344990.tif 000007
【図６】
2005344990.tif 000008